(57)【特許請求の範囲】
【請求項１】
カラー情報を通信可能な画像通信装置において、
リスタートマーカを送信する手段と；
原稿サイズを検出する原稿サイズ検出手段と；
通信解像度を決定する通信解像度決定手段と；
カラーファクシミリ通信が選択されているときに、リスタートマーカを送信するインターバルを、通信時の解像度と、通信する情報サイズとによって決定するインターバル決定手段と；
カラー情報を受信する受信手段と；
受信したカラー情報にリスタートマーカが付いているか否かを判定し、リスタートマーカが付いていれば、上記受信したカラー情報を次の宛先へ送信する際に使用する通信モードにおいて上記インターバル決定手段が決定するインターバルが、受信時のリスタートマーカのインターバルと一致するか否かを判定する判定手段と；
上記判定の結果、リスタートマーカが付いていない場合、または、次の宛先へ送信する際に使用する通信モードにおいてリスタートマーカのインターバルが、受信時のインターバルと一致しない場合に、新たに発信元情報を付加せずに受信したカラー情報を送信し、次の宛先へ送信する際に使用する通信モードにおいてリスタートマーカのインターバルが、受信時のインターバルと一致する場合に、受信したカラー情報の最初のリスタートマーカまでの情報を、自機の発信元情報に置き換えて送信する送信制御手段と；
を有することを特徴とする画像通信装置。
【請求項２】
請求項１において、
上記画像通信装置は、ファクシミリ装置であることを特徴とする画像通信装置。
【請求項３】
カラー情報を通信する画像通信方法において、
リスタートマーカを送信する段階と；
原稿サイズを検出する原稿サイズ検出段階と；
通信解像度を決定する通信解像度決定段階と；
カラーファクシミリ通信が選択されているときに、リスタートマーカを送信するインターバルを、通信時の解像度と、通信する情報サイズとによって決定するインターバル決定段階と；
カラー情報を受信する受信段階と；
受信したカラー情報にリスタートマーカが付いているか否かを判定し、リスタートマーカが付いていれば、上記受信したカラー情報を次の宛先へ送信する際に使用する通信モードにおいて上記インターバル決定段階で決定されたインターバルが、受信時のリスタートマーカのインターバルと一致するか否かを判定する判定段階と；
上記判定の結果、リスタートマーカが付いていない場合、または、次の宛先へ送信する際に使用する通信モードにおいてリスタートマーカのインターバルが、受信時のインターバルと一致しない場合に、新たに発信元情報を付加せずに受信したカラー情報を送信し、次の宛先へ送信する際に使用する通信モードにおいてリスタートマーカのインターバルが、受信時のインターバルと一致する場合に、受信したカラー情報の最初のリスタートマーカまでの情報を、自機の発信元情報に置き換えて送信する送信制御段階と；
を有することを特徴とする画像通信方法。
【発明の詳細な説明】
【０００１】
【発明の属する技術分野】
本発明は、ファクシミリ装置、特に、カラー情報を通信可能なファクシミリ装置等の画像通信装置および画像通信方法に関する。
【０００２】
【従来の技術】
従来のファクシミリ装置は、モノクロ情報を送信するファクシミリ装置である。そして、上記従来のファクシミリ装置で、指定時刻に送信するタイマ送信を選択しているときに、送信情報を符号化してメモリに格納し、指定された時刻になると、予め指定された宛先に発呼し、通信時の日時情報を含んだ発信元情報を先頭に付加し、メモリに格納している情報を再符号化して送信する。
【０００３】
【発明が解決しようとする課題】
しかし、上記従来例においては、カラーのファクシミリ情報をタイマ送信することが選択されているときに、メモリに格納しているＪＰＥＧ符号化したカラー情報の先頭に、通信時の日時情報を含んだ発信元情報を付加し、送信するためには、発信元情報と、メモリに格納しているカラー情報とを接続するために、カラー情報の再符号化が必要であり、このカラー情報の再符号化時間が長いので、リアルタイムで通信することができないという問題がある。
【０００４】
上記問題は、画像通信機能を有するパソコン等、ファクシミリ装置以外の画像通信装置でも生じる問題である。
【０００５】
本発明は、カラーのファクシミリ情報をタイマ送信することが選択されているときに、メモリに格納しているＪＰＥＧ符号化したカラー情報の先頭に、通信時の日時情報を含んだ発信元情報を付加し、送信する場合、リアルタイムで通信することができる画像通信装置および画像通信方法を提供することを目的とするものである。
【０００６】
【課題を解決するための手段】
本発明は、カラー情報を通信可能な画像通信装置において、リスタートマーカを送信する手段と、原稿サイズを検出する原稿サイズ検出手段と、通信解像度を決定する通信解像度決定手段と、カラーファクシミリ通信が選択されているときに、リスタートマーカを送信するインターバルを、通信時の解像度と、通信する情報サイズとによって決定するインターバル決定手段と、カラー情報を受信する受信手段と、受信したカラー情報にリスタートマーカが付いているか否かを判定し、リスタートマーカが付いていれば、上記受信したカラー情報を次の宛先へ送信する際に使用する通信モードにおいて上記インターバル決定手段が決定するインターバルが、受信時のリスタートマーカのインターバルと一致するか否かを判定する判定手段と、上記判定の結果、リスタートマーカが付いていない場合、または、次の宛先へ送信する際に使用する通信モードにおいてリスタートマーカのインターバルが、受信時のインターバルと一致しない場合に、新たに発信元情報を付加せずに受信したカラー情報を送信し、次の宛先へ送信する際に使用する通信モードにおいてリスタートマーカのインターバルが、受信時のインターバルと一致する場合に、受信したカラー情報の最初のリスタートマーカまでの情報を、自機の発信元情報に置き換えて送信する送信制御手段とを有することを特徴とする画像通信装置である。
【０００７】
【発明の実施の形態および実施例】
［第１の実施例］
図１は、本発明の一実施例であるファクシミリ装置ＦＳ１を示すブロック図である。
【０００８】
ファクシミリ装置ＦＳ１において、ＮＣＵ（網制御装置）２は、電話網をデータ通信等に使用するために、その回線の端末に接続し、電話交換網の接続制御を行ったり、データ通信路への切り換えを行ったり、ループの保持を行うものである。また、ＮＣＵ２は、バス２６からの制御によって、電話回線２ａを電話機側に接続（ＣＭＬオフ）したり、電話回線２ａをファクシミリ装置側に接続（ＣＭＬオン）するものである。なお、通常状態では、電話回線２ａは、電話機４側に接続されている。
【０００９】
ハイブリッド回路６は、送信系の信号と受信系の信号とを分離し、加算回路１２からの送信信号をＮＣＵ２経由で電話回線２ａに送出し、相手側からの信号をＮＣＵ２経由で受け取り、信号線６ａ経由で変復調器８に送るものである。
【００１０】
変復調器８は、ＩＴＵ−Ｔ勧告Ｖ．８、Ｖ．２１、Ｖ．２７ｔｅｒ、Ｖ．２９、Ｖ．１７、Ｖ．３４に基づいた変調と復調とを行う変復調器であり、バス２６の制御によって、各伝送モードが指定される。変復調器８は、バス２６からの送信信号を入力し、変調データを信号線８ａに出力し、信号線６ａに出力されている受信信号を入力し、復調データをバス２６に出力する。
【００１１】
発呼回路１０は、バス２６からの信号によって、電話番号情報を入力し、信号線１０ａにＤＴＭＦの選択信号を出力する。
【００１２】
加算回路１２は、信号線８ａの情報と信号線１０ａの情報とを入力し、加算した結果を信号線１２ａに出力する。
【００１３】
カラー情報を読み取り可能な読取回路１４は、読み取りデータをバス２６に出力する。
【００１４】
カラー情報を記録可能な記録回路１６は、バス２６に出力されている情報を順次１ライン毎に記録する。
【００１５】
メモリ回路１８は、ワーク用のメモリ（ＲＡＭ）であり、読み取りデータの生情報または符号化した情報を格納したり、受信情報または復号化した情報等を、バス２６を介して、格納するために使用する。
【００１６】
メモリ回路１８は、カラー通信時にＪＰＥＧ符号化のサブサンプリングの選択を登録するメモリであり、バス２６を介して、４：１：１または１：１：１と登録される。
【００１７】
なお、人間の目は、輝度の変化に敏感であるが、色差の変化に鈍感であるので、輝度の解像度をそのままにし、色差を間引くようにサンプリングする。このサンプリングをサブサンプリングという。
【００１８】
図２は、上記実施例において、メモリ回路１８に登録されている、カラー通信時におけるサブサンプリングの選択の登録例を示す図である。
【００１９】
操作部２０は、ワンタッチダイヤル、短縮ダイヤル、テンキー、＊キー、＃キー、スタートキー、ストップキー、セットキー、カラー送信選択キー、メモリ１８への登録キー、その他のファンクションキーがあり、押下されたキー情報はバス２６に出力される。操作部２０には、表示部が設けられ、バス２６に出力されている情報を入力し、表示する。
【００２０】
ＣＰＵ（中央処理装置）２２は、ファクシミリ装置ＦＳ１の全体を制御したり、ファクシミリ伝送制御手順を実行するが、その制御プログラムは、ＲＯＭ２４に格納されている。
【００２１】
図３は、上記実施例において、カラー情報を一旦、メモリ（自機または相手機のメモリ）に格納し、その後、現在の日時情報を含んだ発信元情報と接続し、カラー情報を送信するときにおけるリスタートマーカインターバルを、原稿サイズ、解像度、サブサンプリングに対応して示す図である。
【００２２】
具体的には、原稿サイズ、解像度、サブサンプリングの順に、Ａ４、２００ｄｐｉ、４：１：１であると、リスタートマーカインターバルは、２１６である。つまり、（３２ライン×１７２８ビット）／（１６×１６）＝２１６である。ここで、上記３２ラインは、副走査方向のヘッダーのライン数であり、上記１７２８ビットは、主走査方向のビット数であり、上記（１６×１６）は、ＭＣＵ（最小圧縮単位）である。
【００２３】
また、リスタートマーカインターバルは、上記と同様に、原稿サイズ、解像度、サブサンプリングの順に、Ａ４、２００ｄｐｉ、１：１：１であると、８６４になり、Ａ４、３００ｄｐｉ、４：１：１であると、４８６になり、Ａ４、３００ｄｐｉ、１：１：１であると、１９４４になり、Ａ４、４００ｄｐｉ、４：１：１であると、８６４になり、Ａ４、４００ｄｐｉ、１：１：１であると、３４５６になり、Ａ４、６００ｄｐｉ、４：１：１であると、１９４４になり、Ａ４、６００ｄｐｉ、１：１：１であると、７７７６になり、Ａ４、１２００ｄｐｉ、４：１：１であると、７７７６になり、Ａ４、１２００ｄｐｉ、１：１：１であると、３１１０４になる。
【００２４】
また、Ｂ４、２００ｄｐｉ、４：１：１であると、２５６になり、Ｂ４、２００ｄｐｉ、１：１：１であると、１０２４、Ｂ４、３００ｄｐｉ、４：１：１であると、５７６になり、Ｂ４、３００ｄｐｉ、１：１：１であると、２３０４になり、Ｂ４、４００ｄｐｉ、４：１：１であると、１０２４になり、Ｂ４、４００ｄｐｉ、１：１：１であると、４０９６になり、Ｂ４、６００ｄｐｉ、４：１：１であると、２３０４になり、Ｂ４、６００ｄｐｉ、１：１：１であると、９２１６になり、Ｂ４、１２００ｄｐｉ、４：１：１であると、９２１６になり、Ｂ４、１２００ｄｐｉ、１：１：１であると、３６８６４になる。
【００２５】
ＲＯＭ２４は、カラー情報を通信可能なファクシミリ装置において、リスタートマーカを送信する手段、原稿サイズを検出する手段、通信解像度を決定する手段を実現するプログラムを格納し、カラーファクシミリ通信が選択されているときに、通信時の解像度と、通信する情報サイズとによって、リスタートマーカを送信するインターバルを決定するプログラムを格納している。
【００２６】
また、ＲＯＭ２４には、カラー情報の送信時におけるサブサンプリングを決定する手段を実現し、このサブサンプリングの情報に基づいて、カラーファクシミリ通信が選択されたときに、リスタートマーカを送信するインターバルを変更するプログラムが格納されている。
【００２７】
ここで、ＲＯＭ２４には、複数のカラー送信モードを有し、指定された通信モードに従い、リスタートマーカを送信するか否かを決定するプログラムが格納されている。
【００２８】
具体的には、時刻指定のメモリ送信を選択する手段を実現し、時刻指定のメモリ送信が選択されていると、リスタートマーカを送信してカラー情報の送信を実行するプログラムが、ＲＯＭ２４に格納されている。また、同報送信を選択する手段を実現し、同報送信が選択されていると、リスタートマーカを送信してカラー情報の送信を実行するプログラムが、ＲＯＭ２４に格納されている。さらに、送信相手先がメモリ受信し、また、次宛先に送信する通信を指定した場合には、リスタートマーカを送信してカラー情報の送信を実行するプログラムが、ＲＯＭ２４に格納されている。送信相手先がメモリ受信をし、また、次宛先に送信する通信を指定する場合として、中継同報通信の指定と、転送通信の指定とがある。次宛先への送信を指定されたファクシミリ装置は、メモリ受信した情報に対して、リスタートマーカインターバルの発信元情報を送信する。
【００２９】
図４〜図１１は、上記実施例の動作を示すフローチャートである。
【００３０】
Ｓ２では、バス２６を介して、メモリ１８をイニシャライズし、Ｓ４では、バス２６を介して、操作部の表示部をクリアし、Ｓ６では、バス２６を介してＮＣＵ２のＣＭＬをオフする。
【００３１】
Ｓ８では、バス２６を介して、サブサンプリングの登録が選択されたか否かを判断し、サブサンプリングの登録が選択されていると、ステップＳ１０に進み、バス２６を介してメモリ１８に、サブサンプリングとして、１：１：１とするか、４：１：１とするかを登録し、サブサンプリングの登録が選択されていなければ、ステップＳ１２に進む。
【００３２】
Ｓ１２では、バス２６を介して、操作部の情報を入力し、同報送信が選択されたか否かを判断し、同報送信が選択されていれば、ステップＳ１４に進み、同報送信が選択されていなければ、ステップＳ４２に進む。
【００３３】
Ｓ１４では、バス２６を介して、操作部の情報を入力し、カラー情報の送信が選択されたか否かを判断し、カラー情報の送信が選択されていれば、ステップＳ２０に進み、カラー情報の送信が選択されていなければ、ステップＳ１６に進む。
【００３４】
Ｓ１６では、モノクロ情報の読み取り、符号化、メモリへの格納を実行し、Ｓ１８では、指定された宛先へ順次発呼し、発信元情報を付加し、画信号は再符号化して送信し、Ｓ２０では、カラー情報の読み取り、ＪＰＥＧ符号化、メモリへの格納を実行する。
【００３５】
Ｓ２２では、未発呼の宛先があるか否かを判断し、未発呼の宛先があれば、ステップＳ２４に進み、未発呼の宛先がなければ、ステップＳ６に進む。
【００３６】
Ｓ２４では、バス２６を介して、ＮＣＵ２のＣＭＬをオンし、Ｓ２６では、バス２６を介して、発呼回路を使用し、未発呼の宛先へ発呼し、Ｓ２８では、前手順を実行する。
【００３７】
Ｓ３０では、カラー受信機能があるか否かを判断し、カラー受信機能があれば、ステップＳ３４に進み、カラー受信機能がなければ、ステップＳ３２に進み、発信元情報を付加し、モノクロ情報を送信する。
【００３８】
Ｓ３４では、前手順を実行する。ここで、選択されている解像度と、サブサンプリングと、原稿サイズと、相手機の受信能力とに応じて、以上の情報を決定し、通知する。
【００３９】
Ｓ３６では、カラー情報をＪＰＥＧ符号化によって送信する。ここで、図３によって決定されるリスタートマーカのインターバルで、リスタートマーカを送信し、また、最初のリスタートマーカまでの情報として、発信元情報を送信する。
【００４０】
Ｓ３８では、後手順を実行し、Ｓ４０では、バス２６を介して、ＮＣＵ２のＣＭＬをオフする。
【００４１】
Ｓ４２では、バス２６を介して、操作部２０の情報を入力し、タイマ送信が選択されたか否かを判断し、タイマ送信が選択されていれば、ステップＳ４４に進み、タイマ送信が選択されていなければ、ステップＳ４６に進む。
【００４２】
Ｓ４４では、指定されたモードでの画信号の読み取り、符号化、メモリへの格納を実行する。ここで、タイマ送信する時刻も合わせて記憶する。
【００４３】
Ｓ４６では、タイマ送信を実行する時刻になったか否かを判断し（既にタイマ送信が登録され、その時刻になったか否かを判断し）、タイマ送信をする時刻になっていれば、ステップＳ２２に進み、タイマ送信をする時刻になっていなければ、ステップＳ４８に進む。
【００４４】
Ｓ４８では、バス２６を介して、操作部２０の情報を入力し、中継同報指示または転送指示送信が選択されたか否かを判断し、中継同報指示または転送指示送信が選択されていれば、ステップＳ５０に進み、中継同報指示または転送指示送信が選択されていなければ、ステップＳ５６に進む。
【００４５】
Ｓ５０では、バス２６を介して、操作部２０の情報を入力し、カラー情報の送信であるか否かを判断し、カラー情報の送信であれば、ステップＳ６４に進み、カラー情報の送信でなければ、Ｓ５２に進み、モノクロ情報の読み取り、符号化してメモリへ格納する。
【００４６】
Ｓ５４では、指定された宛先へ順次、発呼し、発信元情報を付加し、画信号を再符号化し、送信する。ここで、サブアドレス信号によって、中継同報送信指示、または、転送指示を行う。
【００４７】
Ｓ５６では、ファクシミリ受信が選択されているか否かを判断し、ファクシミリ受信が選択されていれば、ステップＳ６０に進み、ファクシミリ受信が選択されていなければ、ステップＳ５８に進み、その他の処理をする。
【００４８】
Ｓ６０では、バス２６を介して、ＮＣＵ２のＣＭＬをオンし、Ｓ６２では、前手順を実行する。ここで、カラー受信機能有り、サブアドレス信号受信機能有りを通知する。
【００４９】
Ｓ６４では、カラー情報の読み取り、ＪＰＥＧ符号化、メモリへの格納を実行し、Ｓ６６では、バス２６を介してＮＣＵ２のＣＭＬをオンし、Ｓ６８では、バス２６を介して、発呼回路によって、指定された宛先に発呼し、Ｓ７０では、前手順を実行する。
【００５０】
Ｓ７２では、カラー受信機能があるか否かを判断し、カラー受信機能があれば、ステップＳ７６に進み、カラー受信機能がなければ、ステップＳ７４に進む。
【００５１】
Ｓ７４では、発信元情報を付加し、モノクロ情報を送信する。ここで、サブアドレス信号によって、中継同報指示または転送指示を行う。
【００５２】
Ｓ７６では、前手順を実行する。ここで、選択されている解像度と、サブサンプリングと、原稿サイズと、相手機の受信能力とによって、以上の情報を決定し、通知する。また、サブアドレス信号によって、中継同報指示または転送指示を行う。
【００５３】
Ｓ７８では、Ｓ３６、Ｓ３８と同一処理を実行する。
【００５４】
Ｓ８０では、中継同報指示または転送指示が送信機で行われたか否かを判断し、中継同報指示または転送指示が送信機で行われていれば、ステップＳ８６に進み、指定されたモードでの画信号のメモリ受信、記録を実行し、中継同報指示または転送指示が送信機で行われていなければ、ステップＳ８２に進む。
【００５５】
Ｓ８２では、指定された受信モードでの画信号を受信、記録し、Ｓ８４では、後手順を実行し、Ｓ８８では、後手順を実行し、Ｓ９０では、バス２６を介して、ＮＣＵ２のＣＭＬをオフする。
【００５６】
Ｓ９２では、カラー情報の受信であったか否かを判断し、カラー情報の受信であれば、ステップＳ９４に進み、カラー情報の受信でなければ、ステップＳ１８に進む。
【００５７】
Ｓ９４では、未発呼の宛先があるか否かを判断し、未発呼の宛先があれば、ステップＳ９６に進み、未発呼の宛先がなければ、ステップＳ６に進む。
【００５８】
Ｓ９６では、バス２６を介して、ＮＣＵ２のＣＭＬをオンし、Ｓ９８では、バス２６を介して、発呼回路を使用して、未発呼の宛先へ発呼し、Ｓ１００では、前手順を実行する。
【００５９】
Ｓ１０２では、相手機にカラー受信機能があるか否かを判断し、相手機にカラー受信機能があれば、ステップＳ１０６（Ｓ３４と同一処理）に進み、相手機にカラー受信機能がなければ、ステップＳ１０４に進み、発信元情報を付加し、モノクロ情報を送信する。
【００６０】
Ｓ１０８では、メモリ受信した情報にリスタートマーカが付いているか否かを判断し、メモリ受信した情報にリスタートマーカが付いていれば、ステップＳ１１６に進み、メモリ受信した情報にリスタートマーカが付いていなければ、ステップＳ１１０に進む。
【００６１】
Ｓ１１０では、カラー受信したＪＰＥＧ情報に新たに、発信元情報を付加せずに送信し、Ｓ１１２では、後手順を実行し、Ｓ１１４では、バス２６を介して、ＮＣＵ２のＣＭＬをオフする。
【００６２】
Ｓ１１６では、メモリ受信した情報と通信相手先の能力とによって決定した通信モードで、図３に示す表に基づいて決まるリスタートマーカのインターバルと受信時のリスタートマーカのインターバルとが一致したか否かを判断し、両インターバルが一致すれば、ステップＳ１１８に進み、両インターバルが一致しなければ、ステップＳ１１０に進む。
【００６３】
Ｓ１１８では、カラー受信したＪＰＥＧ情報に対して、最初のリスタートマーカまでの情報を、自機の発信元情報に置き換え、カラー送信し、Ｓ１２０では、後手順を実行する。
【００６４】
以上の動作によって、発信元情報には、通信実行時の年月日時刻も含む。
【００６５】
上記実施例によれば、カラーファクシミリ送信が選択され、この情報を一旦、メモリに格納し、所定時間経過した後に目的の宛先に発呼する場合、実際のファクシミリ通信時に、通信時の日時情報を含む発信元情報と原稿情報とを接続して送信する必要があるが、原稿サイズ、解像度、サブサンプリングに応じて、リスタートマーカのインターバルが適切に決定される。
【００６６】
また、上記実施例によれば、カラーファクシミリ送信が選択され、この情報を送信時、相手機が、一旦、メモリ受信、すなわち、メモリに格納し、その後に目的の宛先に発呼する場合、たとえば、中継同報指示または転送指示の通信において、サブサンプリング、原稿サイズ、解像度に基づいて、リスタートマーカのインターバルを適切に決定でき、受信機が次宛先へ実際にファクシミリ通信するときに、通信時の日時情報を含む発信元情報と原稿情報とを接続して送信する必要があるが、原稿サイズ、解像度、サブサンプリングに応じて、適切なリスタートマーカインターバルで受信情報を受信できるので、カラー中継指示送信、転送指示送信が容易である。
【００６７】
つまり、上記実施例は、カラーのファクシミリ情報をタイマ送信することが選択されているときに、メモリに格納しているＪＰＥＧ符号化したカラー情報の先頭に、通信時の日時情報を含んだ発信元情報を付加し、送信する場合、発信元情報と、メモリに格納しているカラー情報とを接続するに際して、リスタートマーカを送信するインターバルを、ヘッダの長さに合わせるので、カラー情報の再符号化を必要とせず、したがって、カラー情報再符号化時間用の時間を長く見込む必要がなく、リアルタイムで通信することができる。
【００６８】
なお、上記実施例を、ファクシミリ装置以外の画像通信装置に適用するようにしてもよい。
【００６９】
なお、上記実施例において、ｍ個のＭＣＵおきに圧縮コードの中に、リスタートマーカが挿入され、リスタートマーカのインターバルの数値の単位は、個である。また、ヘッダ部分の画像を、ビットマップで作成し、ＪＰＥＧ圧縮する。さらに、リスタートマーカは、定期的に入れられる。
【００７０】
【発明の効果】
請求項１〜５、１０記載の発明によれば、カラーファクシミリ送信が選択され、この情報を一旦、メモリに格納し、所定時間経過した後に目的の宛先に発呼する場合、実際のファクシミリ通信時に、通信時の日時情報を含む発信元情報と原稿情報とを接続して送信する場合、原稿サイズ、解像度、サブサンプリングに応じて、リスタートマーカのインターバルを適切に決定するので、リアルタイムで通信することができるという効果を奏する。
【００７１】
請求項６〜８記載の発明によれば、カラーファクシミリ送信が選択され、この情報を送信時に、相手機が、一旦、メモリ受信、すなわち、メモリに格納して、その後に目的の宛先に発呼する場合、たとえば、中継同報指示または転送指示の通信において、サブサンプリング、原稿サイズ、解像度に基づいて、リスタートマーカのインターバルを適切に決定でき、受信機が次宛先へ実際にファクシミリ通信するときに、通信時の日時情報を含む発信元情報と原稿情報とを接続して送信する必要があるが、原稿サイズ、解像度、サブサンプリングに応じて、適切なリスタートマーカインターバルで受信情報を受信できるので、カラー中継指示送信、転送指示送信が容易であるという効果を奏する。
【図面の簡単な説明】
【図１】本発明の一実施例であるファクシミリ装置ＦＳ１を示すブロック図である。
【図２】上記実施例において、カラー通信時にサブサンプリングの選択を登録する例を示す図である。
【図３】上記実施例において、カラー情報を一旦、メモリ（自機または相手機のメモリ）に格納し、その後、現在の日時情報を含んだ発信元情報と接続し、カラー情報を送信するときにおけるリスタートマーカインターバルを、原稿サイズ、解像度、サブサンプリングに対応して示す図である。
【図４】上記実施例の動作を示すフローチャートである。
【図５】上記実施例の動作を示すフローチャートである。
【図６】上記実施例の動作を示すフローチャートである。
【図７】上記実施例の動作を示すフローチャートである。
【図８】上記実施例の動作を示すフローチャートである。
【図９】上記実施例の動作を示すフローチャートである。
【図１０】上記実施例の動作を示すフローチャートである。
【図１１】上記実施例の動作を示すフローチャートである。
【符号の説明】
ＦＳ１…ファクシミリ装置、
１８…メモリ回路、
２０…操作部、
２２…ＣＰＵ、
２４…ＲＯＭ。
【図１】
0004444521.tif 000002
【図２】
0004444521.tif 000003
【図３】
0004444521.tif 000004
【図４】
0004444521.tif 000005
【図５】
0004444521.tif 000006
【図６】
0004444521.tif 000007
【図７】
0004444521.tif 000008
【図８】
0004444521.tif 000009
【図９】
0004444521.tif 000010
【図１０】
0004444521.tif 000011
【図１１】
0004444521.tif 000012